(57)【要約】    【課題】      各端末装置の伝搬状況等の各種パラメータに沿った拡散手法を設定することにより、受信性能が劣化することを防ぐとともに、各端末装置に対して最適な信号伝送を実現すること。    【解決手段】  グループ分け実施部１０６は、フィードバック情報の遅延スプレッドの検出結果の情報、最大ドップラー周波数の検出結果の情報、及び自セル他セル干渉比の測定結果の情報を用いて各端末装置をグループ分けする。ユーザ割当部１０８は、フィードバック情報に含まれる回線品質情報に基づいて、グループ毎に所定のアルゴリズムを用いて送信を割り当てる端末装置を選択する。拡散率配分指示部１０９は、所定の送信電力にて送信できる範囲でかつＥｂ／Ｎ０が最小となるように時間軸方向及び周波数軸方向における拡散率の配分を端末装置毎に決定する。  【選択図】      図１
2005318434.tif 000002
【特許請求の範囲】
【請求項１】
通信相手との通信環境に基づいて複数の前記通信相手を複数のグループに分類するグループ分け実施手段と、
前記グループ分け実施手段にてグループ分けしたグループ毎に所定の送信電力以下の送信電力にて送信できる範囲内にて送信を割り当てる前記通信相手を選択するユーザ割当て手段と、
前記ユーザ割当て手段にて選択された前記通信相手に対して前記送信電力以下の送信電力にて送信できる時間軸方向及び周波数軸方向への拡散率を設定する拡散率配分手段と、
前記拡散率配分手段にて設定された拡散率にて前記通信相手へ送信する送信データを時間軸方向及び周波数軸方向へ拡散処理する拡散手段と、
前記拡散手段にて拡散処理された前記通信相手毎の送信データを多重する多重手段と、
前記多重手段にて多重された前記送信データを送信する送信手段と、
を具備することを特徴とする送信装置。
【請求項２】
前記グループ分け実施手段は、遅延スプレッドを所定の範囲毎に区切った第一グループ分け情報を記憶するとともに、前記通信環境を示す前記通信相手における遅延スプレッドの検出結果を用いて前記第一グループ分け情報を参照することにより、前記検出結果が含まれる前記範囲を判定することにより前記通信相手を前記範囲毎の複数のグループに分類することを特徴とする請求項１記載の送信装置。
【請求項３】
前記グループ分け実施手段は、最大ドップラー周波数を所定の範囲毎に区切った第二グループ分け情報を記憶するとともに、前記通信環境を示す前記通信相手における最大ドップラー周波数の検出結果を用いて前記第二グループ分け情報を参照することにより、前記検出結果が含まれる前記範囲を判定することにより前記通信相手を前記範囲毎の複数のグループに分類することを特徴とする請求項１または請求項２記載の送信装置。
【請求項４】
前記グループ分け実施手段は、自セル他セル干渉比を所定の範囲毎に区切った第三グループ分け情報を記憶するとともに、前記通信環境を示す前記通信相手における自セル他セル干渉比の測定結果を用いて前記第三グループ分け情報を参照することにより、前記測定結果が含まれる前記範囲を判定することにより前記通信相手を前記範囲毎の複数のグループに分類することを特徴とする請求項１から請求項３のいずれかに記載の送信装置。
【請求項５】
前記グループ分け実施手段は、変調多値数及び符号化率を所定の範囲毎に区切った第四グループ分け情報を記憶するとともに、回線品質の情報である回線品質情報と、変調多値数及び符号化率とを関係付けた伝送レート設定用情報を記憶し、前記通信相手から報告された前記通信環境を示す前記回線品質情報を用いて前記伝送レート設定用情報を参照することにより変調多値数及び符号化率を選択し、選択した前記変調多値数及び前記符号化率を用いて前記第四グループ分け情報を参照することにより、前記変調多値数及び前記符号化率が含まれる前記範囲を判定して前記通信相手を前記範囲毎の複数のグループに分類することを特徴とする請求項１から請求項４のいずれかに記載の送信装置。
【請求項６】
前記グループ分け実施手段は、所要品質及び緊急度を所定の範囲毎に区切った第五グループ分け情報を記憶するとともに、前記通信環境を示す前記通信相手における所要品質の情報及び緊急度の情報を用いて前記第五グループ分け情報を参照することにより、前記所要品質の情報及び前記緊急度の情報が含まれる前記範囲を判定することにより前記通信相手を前記範囲毎の複数のグループに分類することを特徴とする請求項１から請求項５のいずれかに記載の送信装置。
【請求項７】
請求項１から請求項６のいずれかに記載の送信装置を具備することを特徴とする基地局装置。
【請求項８】
通信相手との通信環境に基づいて複数の前記通信相手を複数のグループに分類するステップと、
グループ分けしたグループ毎に所定の送信電力以下の送信電力にて送信できる範囲内にて送信を割り当てる前記通信相手を選択するステップと、
選択された前記通信相手に対して前記送信電力以下の送信電力にて送信できる時間軸方向及び周波数軸方向への拡散率を設定するステップと、
を具備することを特徴とするスケジューリング方法。
【請求項９】
遅延スプレッドを所定の範囲毎に区切った第一グループ分け情報を記憶するとともに、前記通信環境を示す前記通信相手における遅延スプレッドの検出結果を用いて前記第一グループ分け情報を参照することにより、前記検出結果が含まれる前記範囲を判定することにより前記通信相手を前記範囲毎の複数のグループに分類することを特徴とする請求項８記載のスケジューリング方法。
【請求項１０】
最大ドップラー周波数を所定の範囲毎に区切った第二グループ分け情報を記憶するとともに、前記通信環境を示す前記通信相手における最大ドップラー周波数の検出結果を用いて前記第二グループ分け情報を参照することにより、前記検出結果が含まれる前記範囲を判定することにより前記通信相手を前記範囲毎の複数のグループに分類することを特徴とする請求項８または請求項９記載のスケジューリング方法。
【請求項１１】
自セル他セル干渉比を所定の範囲毎に区切った第三グループ分け情報を記憶するとともに、前記通信環境を示す前記通信相手における自セル他セル干渉比の測定結果を用いて前記第三グループ分け情報を参照することにより、前記測定結果が含まれる前記範囲を判定することにより前記通信相手を前記範囲毎の複数のグループに分類することを特徴とする請求項８から請求項１０のいずれかに記載のスケジューリング方法。
【請求項１２】
変調多値数及び符号化率を所定の範囲毎に区切った第四グループ分け情報を記憶するとともに、回線品質の情報である回線品質情報と、変調多値数及び符号化率とを関係付けた伝送レート選択用情報を記憶し、前記通信相手から報告された前記通信環境を示す前記回線品質情報を用いて前記伝送レート選択用情報を参照することにより変調多値数及び符号化率を選択し、選択した前記変調多値数及び前記符号化率を用いて前記第四グループ分け情報を参照することにより、前記変調多値数及び前記符号化率が含まれる前記範囲を判定して前記通信相手を前記範囲毎の複数のグループに分類することを特徴とする請求項８から請求項１１のいずれかに記載のスケジューリング方法。
【請求項１３】
所要品質及び緊急度を所定の範囲毎に区切った第五グループ分け情報を記憶するとともに、前記通信環境を示す前記通信相手における所要品質の情報及び緊急度の情報を用いて前記第五グループ分け情報を参照することにより、前記所要品質の情報及び前記緊急度の情報が含まれる前記範囲を判定することにより前記通信相手を前記範囲毎の複数のグループに分類することを特徴とする請求項８から請求項１２のいずれかに記載のスケジューリング方法。
【請求項１４】
通信相手との通信環境に基づいて複数の前記通信相手を複数のグループに分類するステップと、
グループ分けしたグループ毎に所定の送信電力以下の送信電力にて送信できる範囲内にて送信を割り当てる前記通信相手を選択するステップと、
選択された前記通信相手に対して前記送信電力以下の送信電力にて送信できる時間軸方向及び周波数軸方向への拡散率を設定するステップと、
設定された拡散率にて前記通信相手へ送信する送信データを時間軸方向及び周波数軸方向へ拡散処理するステップと、
拡散処理された前記通信相手毎の送信データを多重するステップと、
多重された前記送信データを送信するステップと、
を具備することを特徴とする送信方法。
【発明の詳細な説明】
【技術分野】
【０００１】
本発明は、特に二次元拡散を用いる送信装置及びスケジューリング方法に関する。
【背景技術】
【０００２】
マルチキャリアＣＤＭＡ方式を用いる伝送システムにおいて、時間軸及び周波数軸の2次元に対し拡散を行い、セル構成、無線パラメータ及び伝搬条件に応じて時間軸領域の拡散率と周波数領域の拡散率とを適応的に制御するものが知られている（例えば、非特許文献１）。具体的には、遅延スプレッドの大きな環境では周波数選択性が顕著になるため周波数領域の拡散率が大きいと直交性が崩れやすく、移動速度の大きい場合には時間変動の影響が顕著になるため時間領域の拡散率が大きいと直交性が崩れやすくなるので、両者を考慮して直交性が崩れにくい拡散率を設定する。即ち、基地局側にてセル構成、無線パラメータ及び伝搬条件を活用することにより直交性が崩れにくい拡散率を設定する。また、直交性の崩れる程度によって自セル干渉の影響及びダイバーシチ効果が変わってくるため、拡散コードの利用率に応じて時間領域拡散と周波数領域拡散の優位性が変化することになる。この点を考慮するとともに拡散コードの利用率も考慮しながら、所要品質が最小となるように時間領域および周波数領域に対する拡散率を可変させることが有効である。これにより、拡散による干渉抑圧効果を最大限に引き出しながら、マルチキャリア伝送における高い周波数利用効率を活用することが可能である。
【０００３】
図１５は、変調方式を１６ＱＡＭ及び符号化率を２分の１とした場合のコード多重数Ｃmuxに対する平均ＰＥＲ＝１０−２を満たす所要平均受信シンボル／雑音あたりのエネルギー（以下「Ｅｓ／Ｎ０」と記載する）特性を示す図であり、図１６は、変調方式をＱＰＳＫ及び符号化率を４分の３とした場合のコード多重数Ｃmuxに対する平均ＰＥＲ＝１０−２を満たすＥｓ／Ｎ０特性を示す図である。図１５より、Ｃmux＜８の領域では、周波数領域における拡散のみを用いた組み合わせ（ＳＦFreq＝１６、ＳＦTime＝１）がＥｓ／Ｎ０を最も低減できる。一方、Ｃmux＞８の領域では、時間領域における拡散のみを用いた組み合わせ（ＳＦFreq＝１、ＳＦTime＝１６）が最も良好な特性を実現することができる。また、図１６より、コード多重数が小さい場合には、周波数軸方向の拡散率ＳＦFreqを大きくするとともに時間軸方向の拡散率ＳＦTimeを小さくするほどＥｓ／Ｎ０の低減効果が大きく、周波数領域における拡散のみを用いた組み合わせ（ＳＦFreq＝１６、ＳＦTime＝１）が最も良好な特性を実現できる。
【非特許文献１】前田規行、新博行、安部田貞行、佐和橋衛著「２次元拡散を用いるＶＳＦ−ＯＦＣＤＭとその特性」、信学技報、２００２年５月、ｐ．５９−６４
【発明の開示】
【発明が解決しようとする課題】
【０００４】
しかしながら、従来の送信装置及びスケジューリング方法においては、同一基地局に対してアクセスする端末装置が複数存在する場合には、端末装置毎に異なる無線パラメータ及び伝搬環境となるのが一般的であるため、拡散率を設定する際に、どの端末装置の諸元を基準とするかによって得られる効果が変わってくることになる。即ち、全ての端末装置について、基準となる端末装置との伝搬状況を示す各種パラメータに沿った拡散率を設定しても、他の異なる伝搬状況の端末装置に対しては適切な拡散率を設定できないために受信性能が劣化するという問題がある。具体的には、コード利用率が高い状況で周波数選択性の顕著なユーザを基準に時間軸方向の拡散を優先させると、同一スロットに多重された移動速度の大きな端末装置では受信性能が大きく劣化するという問題がある。
【０００５】
本発明はかかる点に鑑みてなされたものであり、各端末装置の伝搬状況等の各種パラメータに沿った拡散率を設定することにより、受信性能が劣化することを防ぐことができるとともに、各端末装置に対して最適な信号伝送を実現することができる送信装置及びスケジューリング方法を提供することを目的とする。
【課題を解決するための手段】
【０００６】
本発明の送信装置は、通信相手との通信環境に基づいて複数の前記通信相手を複数のグループに分類するグループ分け実施手段と、前記グループ分け実施手段にてグループ分けしたグループ毎に所定の送信電力以下の送信電力にて送信できる範囲内にて送信を割り当てる前記通信相手を選択するユーザ割当て手段と、前記ユーザ割当て手段にて選択された前記通信相手に対して前記送信電力以下の送信電力にて送信できる時間軸方向及び周波数軸方向への拡散率を設定する拡散率配分手段と、前記拡散率配分手段にて設定された拡散率にて前記通信相手へ送信する送信データを時間軸方向及び周波数軸方向へ拡散処理する拡散手段と、前記拡散手段にて拡散処理された前記通信相手毎の送信データを多重する多重手段と、前記多重手段にて多重された前記送信データを送信する送信手段と、を具備する構成を採る。
【０００７】
この構成によれば、通信相手との通信環境に基づいて複数の通信相手を複数のグループに分類するとともに、グループ毎に時間軸方向及び周波数軸方向への拡散率を設定するので、各通信相手の伝搬状況等の各種パラメータに沿った拡散率を設定することにより、受信性能が劣化することを防ぐことができるとともに、各通信相手に対して最適な信号伝送を実現することができる。
【０００８】
本発明の送信装置は、前記構成において、前記グループ分け実施手段は、遅延スプレッドを所定の範囲毎に区切った第一グループ分け情報を記憶するとともに、前記通信環境を示す前記通信相手における遅延スプレッドの検出結果を用いて前記第一グループ分け情報を参照することにより、前記検出結果が含まれる前記範囲を判定することにより前記通信相手を前記範囲毎の複数のグループに分類する構成を採る。
【０００９】
この構成によれば、前記効果に加えて、グループ分けに際して遅延スプレッドを基準にするので、グループ内のユーザ間で周波数選択性やフェージングの時間変動およびＳＮＲ等のパラメータが略同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００１０】
本発明の送信装置は、前記構成において、前記グループ分け実施手段は、最大ドップラー周波数を所定の範囲毎に区切った第二グループ分け情報を記憶するとともに、前記通信環境を示す前記通信相手における最大ドップラー周波数の検出結果を用いて前記第二グループ分け情報を参照することにより、前記検出結果が含まれる前記範囲を判定することにより前記通信相手を前記範囲毎の複数のグループに分類する構成を採る。
【００１１】
この構成によれば、前記効果に加えて、グループ分けに際して最大ドップラー周波数を基準にするので、グループ内のユーザ間で周波数選択性やフェージングの時間変動およびＳＮＲ等のパラメータが略同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００１２】
本発明の送信装置は、前記構成において、前記グループ分け実施手段は、自セル他セル干渉比を所定の範囲毎に区切った第三グループ分け情報を記憶するとともに、前記通信環境を示す前記通信相手における自セル他セル干渉比の測定結果を用いて前記第三グループ分け情報を参照することにより、前記測定結果が含まれる前記範囲を判定することにより前記通信相手を前記範囲毎の複数のグループに分類する構成を採る。
【００１３】
この構成によれば、前記効果に加えて、グループ分けに際して自セル他セル干渉比を基準にするので、グループ内のユーザ間で周波数選択性やフェージングの時間変動およびＳＮＲ等のパラメータが略同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００１４】
本発明の送信装置は、前記構成において、前記グループ分け実施手段は、変調多値数及び符号化率を所定の範囲毎に区切った第四グループ分け情報を記憶するとともに、回線品質の情報である回線品質情報と、変調多値数及び符号化率とを関係付けた伝送レート設定用情報を記憶し、前記通信相手から報告された前記通信環境を示す前記回線品質情報を用いて前記伝送レート設定用情報を参照することにより変調多値数及び符号化率を選択し、選択した前記変調多値数及び前記符号化率を用いて前記第四グループ分け情報を参照することにより、前記変調多値数及び前記符号化率が含まれる前記範囲を判定して前記通信相手を前記範囲毎の複数のグループに分類する構成を採る。
【００１５】
この構成によれば、前記効果に加えて、グループ分けに際して変調多値数および符号化率を基準にするので、グループ内のユーザ間で直交性の崩れに起因する自セル干渉への耐性に関するパラメータがほぼ同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００１６】
本発明の送信装置は、前記構成において、前記グループ分け実施手段は、所要品質及び緊急度を所定の範囲毎に区切った第五グループ分け情報を記憶するとともに、前記通信環境を示す前記通信相手における所要品質の情報及び緊急度の情報を用いて前記第五グループ分け情報を参照することにより、前記所要品質の情報及び前記緊急度の情報が含まれる前記範囲を判定することにより前記通信相手を前記範囲毎の複数のグループに分類する構成を採る。
【００１７】
この構成によれば、前記効果に加えて、グループ分けに際して通信チャネルの通信品質及び緊急度を基準にするので、グループ内の許容遅延や最大再送回数などのパラメータがほぼ同一とみなせるため、それらを考慮した拡散率配分の割当ができる。結果として様々な伝搬環境に対応するための無線ネットワーク側送信バッファの設計を簡略化することができる。
【００１８】
本発明の基地局装置は、前記のいずれかに記載の送信装置を具備する構成を採る。
【００１９】
この構成によれば、端末装置との通信環境に基づいて複数の端末装置を複数のグループに分類するとともに、グループ毎に時間軸方向及び周波数軸方向への拡散率を設定するので、各端末装置の伝搬状況等の各種パラメータに沿った拡散率を設定することにより、受信性能が劣化することを防ぐことができるとともに、各端末装置に対して最適な信号伝送を実現することができる。
【００２０】
本発明のスケジューリング方法は、通信相手との通信環境に基づいて複数の前記通信相手を複数のグループに分類するステップと、グループ分けしたグループ毎に所定の送信電力以下の送信電力にて送信できる範囲内にて送信を割り当てる前記通信相手を選択するステップと、選択された前記通信相手に対して前記送信電力以下の送信電力にて送信できる時間軸方向及び周波数軸方向への拡散率を設定するステップと、を具備するようにした。
【００２１】
この方法によれば、通信相手との通信環境に基づいて複数の通信相手を複数のグループに分類するとともに、グループ毎に時間軸方向及び周波数軸方向への拡散率を設定するので、各通信相手の伝搬状況等の各種パラメータに沿った拡散率を設定することにより、受信性能が劣化することを防ぐことができるとともに、各通信相手に対して最適な信号伝送を実現することができる。
【００２２】
本発明のスケジューリング方法は、前記方法において、遅延スプレッドを所定の範囲毎に区切った第一グループ分け情報を記憶するとともに、前記通信環境を示す前記通信相手における遅延スプレッドの検出結果を用いて前記第一グループ分け情報を参照することにより、前記検出結果が含まれる前記範囲を判定することにより前記通信相手を前記範囲毎の複数のグループに分類するようにした。
【００２３】
この方法によれば、前記効果に加えて、グループ分けに際して遅延スプレッドを基準にするので、グループ内のユーザ間で周波数選択性やフェージングの時間変動およびＳＮＲ等のパラメータが略同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００２４】
本発明のスケジューリング方法は、前記方法において、最大ドップラー周波数を所定の範囲毎に区切った第二グループ分け情報を記憶するとともに、前記通信環境を示す前記通信相手における最大ドップラー周波数の検出結果を用いて前記第二グループ分け情報を参照することにより、前記検出結果が含まれる前記範囲を判定することにより前記通信相手を前記範囲毎の複数のグループに分類するようにした。
【００２５】
この方法によれば、前記効果に加えて、グループ分けに際して最大ドップラー周波数を基準にするので、グループ内のユーザ間で周波数選択性やフェージングの時間変動およびＳＮＲ等のパラメータが略同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００２６】
本発明のスケジューリング方法は、前記方法において、自セル他セル干渉比を所定の範囲毎に区切った第三グループ分け情報を記憶するとともに、前記通信環境を示す前記通信相手における自セル他セル干渉比の測定結果を用いて前記第三グループ分け情報を参照することにより、前記測定結果が含まれる前記範囲を判定することにより前記通信相手を前記範囲毎の複数のグループに分類するようにした。
【００２７】
この方法によれば、前記効果に加えて、グループ分けに際して自セル他セル干渉比を基準にするので、グループ内のユーザ間で周波数選択性やフェージングの時間変動およびＳＮＲ等のパラメータが略同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００２８】
本発明のスケジューリング方法は、前記方法において、変調多値数及び符号化率を所定の範囲毎に区切った第四グループ分け情報を記憶するとともに、回線品質の情報である回線品質情報と、変調多値数及び符号化率とを関係付けた伝送レート選択用情報を記憶し、前記通信相手から報告された前記通信環境を示す前記回線品質情報を用いて前記伝送レート選択用情報を参照することにより変調多値数及び符号化率を選択し、選択した前記変調多値数及び前記符号化率を用いて前記第四グループ分け情報を参照することにより、前記変調多値数及び前記符号化率が含まれる前記範囲を判定して前記通信相手を前記範囲毎の複数のグループに分類するようにした。
【００２９】
この方法によれば、前記効果に加えて、グループ分けに際して変調多値数および符号化率を基準にするので、グループ内のユーザ間で直交性の崩れに起因する自セル干渉への耐性に関するパラメータがほぼ同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００３０】
本発明のスケジューリング方法は、前記方法において、所要品質及び緊急度を所定の範囲毎に区切った第五グループ分け情報を記憶するとともに、前記通信環境を示す前記通信相手における所要品質の情報及び緊急度の情報を用いて前記第五グループ分け情報を参照することにより、前記所要品質の情報及び前記緊急度の情報が含まれる前記範囲を判定することにより前記通信相手を前記範囲毎の複数のグループに分類するようにした。
【００３１】
この方法によれば、前記効果に加えて、グループ分けに際して通信チャネルの通信品質及び緊急度を基準にするので、グループ内の許容遅延や最大再送回数などのパラメータがほぼ同一とみなせるため、それらを考慮した拡散率配分の割当ができる。結果として様々な伝搬環境に対応するための無線ネットワーク側送信バッファの設計を簡略化することができる。
【００３２】
本発明の送信方法は、通信相手との通信環境に基づいて複数の前記通信相手を複数のグループに分類するステップと、グループ分けしたグループ毎に所定の送信電力以下の送信電力にて送信できる範囲内にて送信を割り当てる前記通信相手を選択するステップと、選択された前記通信相手に対して前記送信電力以下の送信電力にて送信できる時間軸方向及び周波数軸方向への拡散率を設定するステップと、設定された拡散率にて前記通信相手へ送信する送信データを時間軸方向及び周波数軸方向へ拡散処理するステップと、拡散処理された前記通信相手毎の送信データを多重するステップと、多重された前記送信データを送信するステップと、を具備するようにした。
【００３３】
この方法によれば、通信相手との通信環境に基づいて複数の通信相手を複数のグループに分類するとともに、グループ毎に時間軸方向及び周波数軸方向への拡散率を設定するので、各通信相手の伝搬状況等の各種パラメータに沿った拡散率を設定することにより、受信性能が劣化することを防ぐことができるとともに、各通信相手に対して最適な信号伝送を実現することができる。
【発明の効果】
【００３４】
本発明によれば、各端末装置の伝搬状況等の各種パラメータに沿った拡散率を設定することにより、受信性能が劣化することを防ぐことができるとともに、各端末装置に対して最適な信号伝送を実現することができる。
【発明を実施するための最良の形態】
【００３５】
本発明の骨子は、端末装置との通信環境に基づいて複数の端末装置を複数のグループに分類するとともに、グループ分けしたグループ毎に所定の送信電力以下の送信電力にて送信できる範囲内にて送信を割り当てる端末装置を選択し、選択された端末装置に対して所定の送信電力以下の送信電力にて送信できる時間軸方向及び周波数軸方向への拡散率を設定することである。
【００３６】
以下、本発明の実施の形態について、図面を参照して詳細に説明する。
【００３７】
（実施の形態１）
図１は、本発明の実施の形態１に係る送信装置１００の構成を示すブロック図である。送信信号生成部１１１及び拡散部１１２は、送信データ処理部１１５−１〜１１５−ｎを構成する。また、送信データ処理部１１５−１〜１１５−ｎは、端末装置毎に設けられる。なお、図１において、各送信データ処理部１１５−１〜１１５−ｎの構成は全て同一構成であるので、送信データ処理部１１５−２〜１１５−ｎについての説明は省略する。
【００３８】
アンテナ１０１は、受信した受信信号を受信ＲＦ部１０２へ出力し、送信ＲＦ部１１４から入力した送信信号を送信する。
【００３９】
受信ＲＦ部１０２は、アンテナ１０１から入力した受信信号を無線周波数からベースバンド周波数へダウンコンバートして受信信号復調部１０３へ出力する。
【００４０】
受信信号復調部１０３は、受信ＲＦ部１０２から入力した受信信号を復調してフィードバック情報参照部１０４へ出力するとともに受信データを得る。
【００４１】
フィードバック情報参照部１０４は、受信信号復調部１０３から入力した受信データよりフィードバック情報を抽出する。そして、フィードバック情報参照部１０４は、抽出したフィードバック情報をグループ分け実施部１０６へ出力する。ここで、フィードバック情報には、端末装置にて検出した遅延スプレッドの検出結果の情報、最大ドップラー周波数の検出結果の情報、自セル他セル干渉比の測定結果の情報、例えばＣＱＩ（Channel Quality Indicator）のような端末装置との回線品質を示す情報である回線品質情報、該当端末装置に対する通信チャネルの所用品質の情報及び該当端末装置に対する通信チャネルの緊急度の情報等が含まれる。
【００４２】
グループ分け基準指示部１０５は、遅延スプレッド、最大ドップラー周波数、及び自セル他セル干渉比について、所定の範囲毎にしきい値を設けたグループ分け情報を保存したテーブルを記憶している。
【００４３】
グループ分け実施部１０６は、フィードバック情報参照部１０４から入力したフィードバック情報の遅延スプレッドの検出結果の情報、最大ドップラー周波数の検出結果の情報、及び自セル他セル干渉比の測定結果の情報を用いて、グループ分け基準指示部１０５に記憶されているグループ分け情報を参照して各端末装置をグループ分けする。これにより、各端末装置は特徴の似通った幾つかのグループに区分けすることができる。そして、グループ分け実施部１０６は、グループ分けした結果の情報であるグループ情報をユーザ割当部１０８へ出力する。なお、グループ分けする方法については後述する。
【００４４】
無線リソース管理部１０７は、無線ネットワーク全体のリソースを管理しており、各条件に応じて設定可能な送信電力の情報であるリソース情報をユーザ割当部１０８及び拡散率配分指示部１０９へ出力する。
【００４５】
ユーザ割当部１０８は、グループ分け実施部１０６から入力したフィードバック情報に含まれる回線品質情報及びグループ情報に基づいて、グループ毎に所定のアルゴリズムを用いて送信を割り当てる端末装置を選択する。具体的には、ユーザ割当部１０８は、回線品質情報と、符号化率、変調方式及びコード数とを関係付けた伝送レート設定用情報を保存したテーブルを記憶しており、フィードバック情報に含まれる回線品質情報を用いて、無線リソース管理部１０７から入力したリソース情報の送信電力以下の送信電力になるように、グループ毎に選択した端末装置に対して符号化率、変調方式及びコード数を選択して送信を割り当てる。また、ユーザ割当部１０８は、端末装置に対して送信を割り当てる際のアルゴリズムとして、品質が最大となる端末装置を優先して割り当てるMaxCIR、ランダムに端末装置を割り当てるRoundRobin、または端末装置毎に品質の時間変動を見て該当端末装置に適したタイミングで割り当てるProportionalFairness等を用いる。そして、ユーザ割当部１０８は、送信を割り当てた端末装置の情報である割り当て情報を拡散率配分指示部１０９へ出力する。
【００４６】
拡散率配分指示部１０９は、ユーザ割当部１０８から入力した割り当て情報及び無線リソース管理部１０７から入力したリソース情報より、送信を割り当てた端末装置に対して適用可能な符号化率、変調多値数及びコード数の全て、またはいずれか１つ若しくは２つを用いて端末装置間で加算して、所定の送信電力にて送信できる範囲でかつ所望のビット当りの電力密度対雑音電力密度比（以下「Ｅｂ／Ｎ０」と記載する）が最小となるように時間軸方向及び周波数軸方向における拡散率の配分を決定する。そして、拡散率配分指示部１０９は、決定した拡散率の配分の情報である拡散率配分情報を拡散率配分部１１０へ出力する。また、拡散率配分指示部１０９は、各端末装置の拡散率配分情報を、対応する送信データ処理部１１５−１〜１１５−ｎの送信信号生成部１１１へ出力する。
【００４７】
拡散率配分部１１０は、拡散率配分指示部１０９から入力した拡散率配分情報の拡散率の配分にて拡散処理するように各送信データ処理部１１５−１〜１１５−ｎの拡散部１１２に対して指示する。
【００４８】
送信信号生成部１１１は、送信データに拡散率配分指示部１０９から入力した自分の拡散率配分情報を含めた送信信号を生成して拡散部１１２へ出力する。
【００４９】
拡散部１１２は、送信信号生成部１１１から入力した送信信号に対して、拡散率配分部１１０から指示された拡散率にて拡散処理してユーザ多重部１１３へ出力する。
【００５０】
ユーザ多重部１１３は、各送信データ処理部１１５−１〜１１５−ｎの拡散部１１２から入力した送信信号を多重して送信ＲＦ部１１４へ出力する。
【００５１】
送信ＲＦ部１１４は、ユーザ多重部１１３から入力した送信信号をベースバンド周波数から無線周波数へアップコンバートしてアンテナ１０１へ出力する。
【００５２】
次に、端末装置２００の構成について図２を用いて説明する。図２は、端末装置２００の構成を示すブロック図である。
【００５３】
アンテナ２０１は、受信した受信信号を受信ＲＦ部２０２へ出力し、送信ＲＦ部２０８から入力した送信信号を送信する。
【００５４】
受信ＲＦ部２０２は、アンテナ２０１から入力した受信信号を無線周波数からベースバンド周波数へダウンコンバートして受信信号復調部２０４及び制御情報復調部２０３へ出力する。
【００５５】
制御情報復調部２０３は、受信ＲＦ部２０２から入力した受信信号より、規定の方法にて多重された制御情報を復調して、制御情報に含まれる拡散率配分情報を受信信号復調部２０４へ出力する。
【００５６】
受信信号復調部２０４は、受信ＲＦ部２０２から入力した受信信号に対して、制御情報復調部２０３から入力した拡散率配分情報の拡散率を参照して逆拡散するとともに復調する。そして、受信信号復調部２０４は、復調した受信信号の内の通信チャネルの受信データを通信チャネル復号部２０５へ出力し、復調した受信信号の内の参照信号を参照信号観測部２０６へ出力する。
【００５７】
通信チャネル復号部２０５は、受信信号復調部２０４から入力した復調された通信チャネルの受信データをターボ復号等により復号して受信データを得る。
【００５８】
参照信号観測部２０６は、受信信号復調部２０４から入力した参照信号を用いて伝搬状況を観測する。そして、参照信号観測部２０６は、観測した伝搬状況を示す情報である回線品質情報を生成してフィードバック情報生成部２０７へ出力する。
【００５９】
フィードバック情報生成部２０７は、遅延プロファイルを生成して遅延スプレッドを検出して遅延スプレッドの情報を生成し、最大ドップラー周波数を検出して最大ドップラー周波数の情報を生成し、自セル他セル干渉比を測定して自セル他セル干渉比の情報を生成し、所要品質を測定して所要品質の情報を生成するとともに、緊急度の情報を生成する。そして、フィードバック情報生成部２０７は、参照信号観測部２０６から入力した回線品質情報、遅延スプレッドの情報、最大ドップラー周波数の情報、自セル他セル干渉比の情報、所要品質の情報及び緊急度の情報をフィードバック情報として送信ＲＦ部２０８へ出力する。
【００６０】
送信ＲＦ部２０８は、フィードバック情報生成部２０７から入力したフィードバック情報をベースバンド周波数から無線周波数へアップコンバートしてアンテナ２０１へ出力する。
【００６１】
次に、送信装置１００にて行うスケジューリングの方法について説明する。グループ分け基準指示部１０５は、図３〜図５に示すようなグループ分け情報を保存したテーブルを記憶している。即ち、グループ分け基準指示部１０５は、図３に示すような遅延スプレッドの情報、図４に示すような最大ドップラー周波数の情報、及び図５に示すような自セル他セル干渉比の情報を記憶している。
【００６２】
そして、グループ分け実施部１０６は、フィードバック情報に含まれる遅延スプレッドの情報、最大ドップラー周波数の情報及び自セル他セル干渉比の情報を用いて図３〜図５を参照することにより、図６に示すように、遅延スプレッドｘ１、最大ドップラー周波数ｙ１及び自セル他セル干渉比ｚ１である端末装置２００をグループＡに分類し、遅延スプレッドｘ２、最大ドップラー周波数ｙ２及び自セル他セル干渉比ｚ２である端末装置２００をグループＢに分類する。グループＣ以降も同様にしてグループ分けを行う。
【００６３】
次に、例えば、グループ分け実施部１０６がＡ１〜Ａ７の７つの端末装置２００をＡグループとしてグループ分けした場合において、ユーザ割当部１０８は、リソース情報を考慮して所定の送信電力以下の送信電力になるように、Ａ１〜Ａ７の端末装置２００の中からＡ２、Ａ５、Ａ７の３つの端末装置２００に対して送信の割り当てを行う。
【００６４】
次に、ユーザ割当部１０８は、図７に示すような伝送レート設定用情報を保存したテーブルを記憶している。そして、Ａ２の端末装置２００がＣＱＩ＝８を報告してきている場合には、ユーザ割当部１０８は、図７よりＡ２の端末装置２００に対して、コード数５、変調方式１６ＱＡＭ及び符号化率２分の１を割り当てる。また、Ａ５の端末装置２００がＣＱＩ＝４を報告してきている場合には、ユーザ割当部１０８は、図７よりＡ５の端末装置２００に対して、コード数４、変調方式ＱＰＳＫ及び符号化率３分の１を割り当てる。また、Ａ７の端末装置２００がＣＱＩ＝９を報告してきている場合には、ユーザ割当部１０８は、図７よりＡ７の端末装置２００に対して、コード数５、変調方式１６ＱＡＭ及び符号化率４分の３を割り当てる。
【００６５】
次に、拡散率配分指示部１０９は、Ａ２、Ａ５、Ａ７の端末装置２００に対して、各端末装置２００に割り当てたコード数に応じて、時間領域８倍及び周波数領域２倍とする拡散配分情報を生成して拡散率配分部１１０へ出力するとともに、Ａ２、Ａ５、Ａ７の各端末装置２００に対応する送信データ処理部１１５−１〜１１５−ｎの送信信号生成部１１１へ出力する。なお、グループＢ以降もグループＡと同様のスケジューリングが行われる。
【００６６】
このように、本実施の形態１によれば、各端末装置の遅延スプレッド、最大ドップラー周波数及び自セル他セル干渉比等の各種パラメータに基づいて各端末装置をグループ分けして時間軸方向及び周波数軸方向への拡散率を設定するので、受信性能が劣化することを防ぐことができるとともに、各端末装置に対して最適な信号伝送を実現することができる。
【００６７】
また、本実施の形態１によれば、グループ分けに際して遅延スプレッド、最大ドップラー周波数および自セル他セル干渉比を基準にするので、グループ内のユーザ間で周波数選択性やフェージングの時間変動およびＳＮＲ等のパラメータが略同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００６８】
なお、本実施の形態１において、遅延スプレッド、最大ドップラー周波数及び自セル他セル干渉比を用いて各端末装置をグループ分けすることとしたが、これに限らず、遅延スプレッド、最大ドップラー周波数及び自セル他セル干渉比の内のいずれか１つまたはいずれか２つを選択して各端末装置をグループ分けしても良い。
【００６９】
（実施の形態２）
図８は、本発明の実施の形態２に係るグループ分け実施部１０６の構成を示すブロック図である。なお、本実施の形態２に係る送信装置は、図１に示す実施の形態１に係る送信装置１００と同一構成であるので、その説明は省略する。
【００７０】
選択部８０１は、図７に示すような伝送レート設定用情報を保存したテーブルを記憶しており、フィードバック情報参照部１０４から入力したフィードバック情報に含まれる回線品質情報を用いて伝送レート設定用情報を参照することにより、変調方式及び符号化率を選択する。そして、選択部８０１は、選択した変調方式及び符号化率の情報をグループ化部８０２へ出力する。
【００７１】
グループ化部８０２は、選択部８０１から入力した変調方式及び符号化率の情報を用いて、グループ分け基準指示部１０５に記憶されているグループ分け情報を参照して各端末装置をグループ分けする。これにより、各端末装置は特徴の似通った幾つかのグループに区分けすることができる。そして、グループ化部８０２は、グループ分けした結果の情報であるグループ情報をユーザ割当部１０８へ出力する。
【００７２】
次に、送信装置にて行うスケジューリングの方法について説明する。図９は、グループ分け基準指示部１０５が記憶している変調多値数についてのグループ分け情報を示すものであり、図１０は、グループ分け基準指示部１０５が記憶している符号化率についてのグループ分け情報を示すものである。図９において、ＱＰＳＫは変調多値数が２であり、１６ＱＡＭは変調多値数が４である。
【００７３】
グループ分け実施部１０６は、図７に示すような伝送レート設定用情報を保存したテーブルを記憶している。そして、グループ分け実施部１０６は、フィードバック情報に含まれる回線品質情報を用いて図７の伝送レート設定用情報を参照することにより、変調方式及び符号化率を選択して、図１１に示すように変調多値数ａ１及び符号化率ｂ１である端末装置２００をグループＡに分類し、変調多値数ａ２及び符号化率ｂ２である端末装置２００をグループＢに分類する。グループＣ以降も同様にしてグループ分けを行う。
【００７４】
次に、例えば、グループ分け実施部１０６がＡ１〜Ａ７の７つの端末装置２００をＡグループとしてグループ分けした場合において、ユーザ割当部１０８は、リソース情報を考慮して所定の送信電力以下の送信電力になるように、Ａ１〜Ａ７の端末装置２００の中からＡ２、Ａ５、Ａ７の３つの端末装置２００に対して送信の割り当てを行う。
【００７５】
次に、ユーザ割当部１０８は、図７に示すような伝送レート設定用情報を保存したテーブルを記憶している。そして、Ａ２、Ａ５、Ａ７の端末装置２００がＣＱＩ＝４を報告してきている場合には、ユーザ割当部１０８は、図７よりＡ２の端末装置２００に対して、コード数４、変調方式ＱＰＳＫ及び符号化率３分の１を割り当てる。
【００７６】
次に、拡散率配分指示部１０９は、Ａ２、Ａ５、Ａ７の端末装置２００に対して、各端末装置２００に割り当てたコード数に応じて、時間領域８倍及び周波数領域２倍とする拡散配分情報を生成して拡散率配分部１１０へ出力するとともに、Ａ２、Ａ５、Ａ７の各端末装置２００に対応する送信データ処理部１１５−１〜１１５−ｎの送信信号生成部１１１へ出力する。なお、グループＢ以降もグループＡと同様のスケジューリングが行われる。
【００７７】
このように、本実施の形態２によれば、各端末装置の変調多値数及び符号化率等の各種パラメータに基づいて各端末装置をグループ分けして時間軸方向及び周波数軸方向への拡散率を設定するので、受信性能が劣化することを防ぐことができるとともに、各端末装置に対して最適な信号伝送を実現することができる。
【００７８】
また、本実施の形態２によれば、グループ分けに際して変調多値数および符号化率を基準にするので、グループ内のユーザ間で直交性の崩れに起因する自セル干渉への耐性に関するパラメータがほぼ同一とみなせるため、コード多重数に対する所定の平均ＰＥＲを満たすＥｓ／Ｎ０特性に関し、コード多重数に応じた最適な周波数領域と時間領域の拡散率を決定することができる。結果として所要品質を満たすＥｂ／Ｎ０を最小とすることができ、効率的な信号伝送を行うことができるとともに隣接セルへの与干渉を低減することができる。
【００７９】
（実施の形態３）
図１２及び図１３は、本発明の実施の形態３に係るグループ分け情報を示す図である。なお、本実施の形態３に係る送信装置は、図１に示す実施の形態１に係る送信装置１００と同一構成であるので、その説明は省略する。
【００８０】
送信装置にて行うスケジューリングの方法について説明する。グループ分け基準指示部１０５は、図１２及び図１３に示すようなグループ分け情報を保存したテーブルを記憶している。即ち、グループ分け基準指示部１０５は、図１２に示すような所要品質の情報及び図１３に示すような緊急度の情報を記憶している。
【００８１】
そして、グループ分け実施部１０６は、フィードバック情報に含まれる所要品質を示す誤り率の情報及び緊急度の情報を用いて図１２及び図１３を参照することにより、図１４に示すように、所要品質がｃ１及び緊急度がｄ１である端末装置２００をグループＡに分類し、所要品質がｃ２及び緊急度がｄ２である端末装置２００をグループＢに分類する。グループＣ以降も同様にしてグループ分けを行う。なお、所要品質を示す情報は、誤り率に限らず、任意の値を用いることができる。
【００８２】
次に、例えば、グループ分け実施部１０６がＡ１〜Ａ７の７つの端末装置２００をＡグループとしてグループ分けした場合において、ユーザ割当部１０８は、リソース情報を考慮して所定の送信電力以下の送信電力になるように、Ａ１〜Ａ７の端末装置２００の中からＡ２、Ａ５、Ａ７の３つの端末装置２００に対して送信の割り当てを行う。
【００８３】
次に、ユーザ割当部１０８は、図７に示すような伝送レート設定用情報を保存したテーブルを記憶している。そして、Ａ２の端末装置２００がＣＱＩ＝８を報告してきている場合には、ユーザ割当部１０８は、図７よりＡ２の端末装置２００に対して、コード数５、変調方式１６ＱＡＭ及び符号化率２分の１を割り当てる。また、Ａ５の端末装置２００がＣＱＩ＝４を報告してきている場合には、ユーザ割当部１０８は、図７よりＡ５の端末装置２００に対して、コード数４、変調方式ＱＰＳＫ及び符号化率３分の１を割り当てる。また、Ａ７の端末装置２００がＣＱＩ＝９を報告してきている場合には、ユーザ割当部１０８は、図７よりＡ７の端末装置２００に対して、コード数５、変調方式１６ＱＡＭ及び符号化率４分の３を割り当てる。
【００８４】
次に、拡散率配分指示部１０９は、Ａ２、Ａ５、Ａ７の端末装置２００に対して、各端末装置２００に割り当てたコード数に応じて、時間領域８倍及び周波数領域２倍とする拡散配分情報を生成して拡散率配分部１１０へ出力するとともに、Ａ２、Ａ５、Ａ７の各端末装置２００に対応する送信データ処理部１１５−１〜１１５−ｎの送信信号生成部１１１へ出力する。なお、グループＢ以降もグループＡと同様のスケジューリングが行われる。
【００８５】
このように、本実施の形態３によれば、各端末装置の所要品質及び緊急度等の各種パラメータに基づいて各端末装置をグループ分けした後、グループ単位にて時間軸方向及び周波数軸方向への拡散率を設定するので、受信性能が劣化することを防ぐことができるとともに、各端末装置に対して最適な信号伝送を実現することができる。
【００８６】
また、本実施の形態３によれば、グループ分けに際して通信チャネルの通信品質及び緊急度を基準にするので、グループ内の許容遅延や最大再送回数などのパラメータがほぼ同一とみなせるため、それらを考慮した拡散率配分の割当ができる。結果として様々な伝搬環境に対応するための無線ネットワーク側送信バッファの設計を簡略化することができる。
【００８７】
なお、上記実施の形態において、遅延スプレッド、最大ドップラー周波数、自セル他セル干渉比、変調多値数、符号化率、通信チャネルの所要品質及び緊急度を用いて各端末装置をグループ分けしたが、これに限らず、任意のパラメータを用いて各端末装置をグループ分けすることができる。
【産業上の利用可能性】
【００８８】
本発明にかかる送信装置及びスケジューリング方法は、各端末装置の伝搬状況等の各種パラメータに沿った拡散率を設定することにより、受信性能が劣化することを防ぐことができるとともに、各端末装置に対して最適な信号伝送を実現する効果を有し、拡散率を可変にて設定して二次元拡散を行うのに有用である。
【図面の簡単な説明】
【００８９】
【図１】本発明の実施の形態１に係る送信装置の構成を示すブロック図
【図２】本発明の実施の形態１に係る端末装置の構成を示すブロック図
【図３】本発明の実施の形態１に係るグループ分け情報を示す図
【図４】本発明の実施の形態１に係るグループ分け情報を示す図
【図５】本発明の実施の形態１に係るグループ分け情報を示す図
【図６】本発明の実施の形態１に係るグループ分けの方法を示す図
【図７】本発明の実施の形態１に係る伝送レート設定用情報を示す図
【図８】本発明の実施の形態２に係るグループ分け実施部の構成を示す図
【図９】本発明の実施の形態２に係るグループ分け情報を示す図
【図１０】本発明の実施の形態２に係るグループ分け情報を示す図
【図１１】本発明の実施の形態２に係るグループ分けの方法を示す図
【図１２】本発明の実施の形態３に係るグループ分け情報を示す図
【図１３】本発明の実施の形態３に係るグループ分け情報を示す図
【図１４】本発明の実施の形態３に係るグループ分けの方法を示す図
【図１５】コード多重数に対するＥｓ／Ｎ０特性を示す図
【図１６】コード多重数に対するＥｓ／Ｎ０特性を示す図
【符号の説明】
【００９０】
１００  送信装置
１０１  アンテナ
１０２  受信ＲＦ部
１０３  受信信号復調部
１０４  フィードバック情報参照部
１０５  グループ分け基準指示部
１０６  グループ分け実施部
１０７  無線リソース管理部
１０８  ユーザ割当部
１０９  拡散率配分指示部
１１０  拡散率配分部
１１１  送信信号生成部
１１２  拡散部
１１３  ユーザ多重部
１１４  送信ＲＦ部
【図１】
2005318434.tif 000003
【図２】
2005318434.tif 000004
【図３】
2005318434.tif 000005
【図４】
2005318434.tif 000006
【図５】
2005318434.tif 000007
【図６】
2005318434.tif 000008
【図７】
2005318434.tif 000009
【図８】
2005318434.tif 000010
【図９】
2005318434.tif 000011
【図１０】
2005318434.tif 000012
【図１１】
2005318434.tif 000013
【図１２】
2005318434.tif 000014
【図１３】
2005318434.tif 000015
【図１４】
2005318434.tif 000016
【図１５】
2005318434.tif 000017
【図１６】
2005318434.tif 000018